(57)【特許請求の範囲】
【請求項１】
恒温槽に圧電振動子と発振回路をいれた圧電発振器において、該恒温槽を形成する多面体の金属ブロックの全ての表面に発熱体が具備されたことを特徴とする圧電発振器。
【発明の詳細な説明】
【０００１】
【発明の属する技術分野】
本発明は、恒温槽に圧電振動子と発振回路をいれた圧電発振器において、特に内部の圧電振動子を収納する金属ブロックの表面の全ての面に発熱体を取り付ける方法を発明し、従来の発熱体の取り付け方法による恒温槽である金属ブロックの加熱の不均等性を解消した恒温槽型の圧電発振器に関するもの、あるいは内部の金属ブロックの従来方法による断熱効果を大幅に改善した恒温槽型の圧電発振器の断熱構造に関するものである。以下において、恒温槽に圧電振動子と発振回路をいれた圧電発振器を恒温槽型の圧電発振器をいう。
【０００２】
【従来の技術】
従来の恒温槽型の圧電発振器においては、例えば図１のように、圧電発振器の内部に収容される恒温槽である金属ブロックの側面の4面のみに金属線などから成る発熱体であるヒーターを取り付けたり、金属ブロックの側面の4面に巻き付けるのが一般的であった。このように、発振回路、感温素子を有し、またある温度特性を持つ圧電振動子や、こういった圧電振動子の任意の周波数を安定させる為の先述の発振回路用のプリント基板を金属ブロックなどで囲い、金属ブロックを金属線から成るヒーターや、半導体パワートランジスターなどの発熱体により熱して、これらの発熱体を制御回路により制御し、圧電発振器の外部温度よりも金属ブロックの内部の圧電振動子を常に高温に保つことにより、圧電発振器の外部の温度が例えば−40°Cから+85°Cに変化した場合においても金属ブロックの内部温度を一定に保つことにより圧電振動子の温度特性の変化を極めて僅少とし、かつ圧電発振器の周囲や外部の温度変化の影響を極力受けないような構造とした発振器を恒温槽型圧電発振器といい、主に発振周波数の安定度を特に要求される基地局などの通信装置に用いられている。
【０００３】
【発明が解決しようとする課題】
しかしながら、図１にあるように、特に従来において一般的に成されてきたように、金属ブロックが基板上に搭載されており、金属ブロックの側面( 金属ブロックが立方体状の場合にはその側面の4面 )のみに金属線などから成る発熱体を巻き付け、残るひとつの面に半導体パワートランジスターなどから成る発熱体を熱源として構成した場合、残る1面が加熱されないので、金属ブロックはそれぞれの面から内部に向かって均等に加熱されることがなく、発熱体の発する熱量の放射、拡散の金属ブロックへの熱量の伝播の不均等性が、金属ブロックに収容される圧電振動子の発振周波数の安定度に影響を与え悪化させてしまうといった問題があった。
【０００４】
加えて、金属線やパワートランジスターなどから成る発熱体から放射され、恒温槽である金属ブロックを加熱する熱量は、圧電振動子を収容したこの金属ブロックだけに伝播するのではなく、金属ブロックと圧電発振器筐体のあいだの空間中にも放射、拡散されて逃げてしまうという問題があった。
【０００５】
【課題を解決するための手段】
これらの課題を解決する為に、本発明は、恒温槽型の圧電発振器において、恒温槽である金属多面体を、基板上に直接搭載することなく、基板から離し、恒温槽となる内部の金属多面体表面の全ての面に発熱体を取り付けた構成の圧電発振器の構造を発明し、かつ金属線やパワートランジスターなどから成る発熱体から放射され、恒温槽である金属ブロックを加熱する熱量が、恒温槽である金属多面体だけに伝播するのではなく、金属ブロックと圧電発振器筐体のあいだの空間中にも放射、拡散されて逃げてしまうことを効率良く軽減する為に、恒温槽である金属ブロックを箱状の断熱材により囲む断熱構造とすることにより、課題を解決するものである。
【０００６】
【本発明の実施の形態】
以下、添付の図面に従がってこの発明の実施例を説明する。なお各図における同一の符号は、同じ対象を示すものとする。
【０００７】
本発明は、恒温槽である多面体金属ブロックを基板上に搭載することなく、離して全ての面の温度が一定となるように、図２の実施例のように、直方体状の金属ブロック１の5面に、例えばマンガニン線といった金属の線材から成るヒーター２を巻き付け、残る1面に線材から成るヒーターと同じく熱源となる半導体パワートランジスター４を取り付け、結果として金属ブロック１の全ての面の温度を一定とすることによって、これらのヒーター２や半導体パワートランジスター４といった発熱体の発する熱量の放射、拡散の金属ブロックへの伝播の不均等性を抑制し、恒温槽である金属ブロック１に収容される圧電振動子の発振周波数の安定度を高めるものである。
【０００８】
この場合、発熱体であるヒーター２は金属の線材に限らず、抵抗値が数Ωから数十Ωの、電流を流すことにより発熱する抵抗体、あるいは半導体パワートランジスターのようなものでも構わない。
【０００９】
また、熱源となる半導体パワートランジスター４を用いることなく、金属ブロック１の全ての面に金属の線材から成る発熱体であるヒーターを巻き付ける構成であっても構わない。
【００１０】
恒温槽である多面体金属ブロック１に関しては、立方体状の６面体に限らず、他の多面体や球状のものであっても構わない。
【００１１】
金属線２やパワートランジスター４などから成る発熱体から放射され、恒温槽である金属ブロック１を加熱する熱量は、圧電振動子を収容したこの金属ブロック１だけに伝播するのではなく、金属ブロック１と圧電発振器筐体９のあいだの空間中にも放射、拡散されて逃げてしまう。この問題を解決する方法としては、図３のように、金属ブロック１を、金属ブロック１の各表面に接触しつつ囲み、かつ金属ブロック１と圧電発振器筐体９の間の空間を充填するような箱状の断熱材12を用いて、これにより恒温槽である金属ブロック１を囲む本発明であるところの断熱構造を構成する。実施例では、基板３と底板12の間にもさらに板状の発砲スチロールで構成された断熱材12を挟み込む構成とし、結果として金属ブロックの全面方向を断熱材により、充分に囲む構成とし、熱量の伝播や放射による逃げを出来得る限り抑制する効果を高めるような断熱構造とした。
【００１２】
この場合、金属ブロック１は、この箱状の断熱材12と、金属ブロック１の下部に位置する基板３の間の空間を充填しており、かつ金属ブロック１とその外側の金属製ケースである圧電発振器筐体９との間の空間を充填する箱状の断熱材により囲まれる。断熱材12は、本実施例のように、金属ブロック１を収容するように成形モールドされた発砲スチロールで構成されるものでも、グラスウールのような綿状のものでも構わない。
【００１３】
図２の実施例のように、圧電発振器筐体９の内部の金属ブロック１を、基板３から離して固定する際にネジ６やスぺーサー５を使用する場合、金属ブロック１からネジ６やスぺーサー５を介して基板３や、また端子８を介して金属製の底板７への、熱量の伝播や放射による逃げを抑制する為に、図４のような基板３の各ネジ穴10の周囲に、例えば円弧状の切り込み11を構成することにより、熱量の伝播の経路を小さくして金属ブロック１の断熱効果をさらに高めることが出来る。
【００１４】
【発明の効果】
本発明により、恒温槽内部の温度分布を均一にすることが出来、従来構造の恒温槽型の圧電発振器の周波数温度特性が−40°C〜+85°Cの温度範囲において規格値＋/−１×10−８であったのを、同温度範囲において規格値で＋/−２×10−９に改善することを実現した。
【図面の簡単な説明】
【図１】従来の恒温槽型の圧電発振器における金属ブロックへの発熱体の巻き方を示す斜視図である。
【図２】本発明の恒温槽型の圧電発振器における金属ブロックへの発熱体の構成を示す斜視図である。
【図３】本発明の箱状の断熱材を用いて、これにより恒温槽である金属ブロックの全面を囲む構成を示す側面図である。（点線が内部の金属ブロックを示す。）
【図４】恒温槽である金属ブロックの断熱効果を高めるために、各ネジ穴の周囲に円弧状の切り込みを構成した基板の上面図である。
【符号の説明】
１ 金属ブロック
２ 発熱体である金属線ヒーター
３ 基板
４ 発熱体である半導体パワートランジスター
５ スぺーサー
６ ネジ
７ 底板
８ 端子
９ 圧電発振器筐体
10 基板内のネジ穴
11 基板内のネジ穴周囲の円弧状の切り込み
12 断熱材
【図１】
0003909569.tif 000002
【図２】
0003909569.tif 000003
【図３】
0003909569.tif 000004
【図４】
0003909569.tif 000005